【手続補正書】
【提出日】平成20年1月16日(2008.1.16)
【手続補正１】
【補正対象書類名】明細書
【補正対象項目名】全文
【補正方法】変更
【補正の内容】
【書類名】  明細書
【発明の名称】遊技媒体交換装置
【特許請求の範囲】
【請求項１】
計数器により発行された記録媒体に記録された遊技媒体数を読み取る自動読取部と、読み取った遊技媒体数から交換先の遊技媒体への交換数を演算する交換演算部と、演算値に基づき交換先の遊技媒体を払い出す払出部とを備えたことを特徴とする遊技媒体交換装置。
【請求項２】
余り遊技媒体を演算する演算部と、演算値に基づき余り遊技媒体の払出しまたは余り遊技媒体数を記録した記録媒体の発行を行う余り遊技媒体処理部とを備えたことを特徴とする請求項１に記載の遊技媒体交換装置。
【請求項３】
交換元の遊技媒体を受け入れ計数する複数の自動計数部と、その計数値から交換先の遊技媒体への交換数を演算する交換演算部と、演算値に基づき交換先の遊技媒体を払い出す払出部とを備えたことを特徴とする遊技媒体交換装置。
【請求項４】
余り遊技媒体を演算する交換演算部と、演算値に基づき、余り遊技媒体の払出し又は余り遊技媒体数を記録した記録媒体の発行を行う余り遊技媒体処理部とを備えたことを特徴とする請求項３に記載の遊技媒体交換装置。
【発明の詳細な説明】
【０００１】
【発明の属する技術分野】
本発明は、パチンコ機の遊技媒体であるパチンコ玉とスロットマシンの遊技媒体であるメダルとの間で交換を行うことができる遊技媒体交換装置に関するものである。
【０００２】
【従来の技術】
パチンコ機とスロットマシンを設置した遊技場においては、パチンコ機の遊技者が獲得した景品玉を持ってスロットマシンで遊技を開始しようとする場合や、スロットマシンの遊技者が獲得したメダルを持ってパチンコ機で遊技を開始しようとする場合に、遊技媒体を交換する必要が発生する。しかし現状では、手持ちの遊技媒体を直接他の遊技媒体に交換することができない。このため、遊技者は獲得した遊技媒体を計数器に投入して計数結果を記録したレシートや磁気カードなどの記録媒体を受け取り、景品に交換したうえ、新たに他の遊技媒体を入手しなければならないという煩雑な手順を踏まねばならなかった。
【０００３】
【発明が解決しようとする課題】
本発明は前記したような煩雑な手順を遊技者に強いることなく、遊技者が獲得した遊技媒体をもって異なる遊技媒体に交換することにより、遊技者がパチンコ機とスロットマシンの両方において遊技できる機会を増すようにした遊技媒体交換装置を提供するためになされたものである。
【０００４】
【課題を解決するための手段】
前記の課題を解決するためになされた請求項１の発明は、計数器により発行された記録媒体に記録された遊技媒体数を読み取る自動読取部と、読み取った遊技媒体数から交換先の遊技媒体への交換数を演算する交換演算部と、演算値に基づき交換先の遊技媒体を払い出す払出部とを備えたことを特徴とするものである。なお請求項２に記載のように、余り遊技媒体を演算する演算部と、演算値に基づき余り遊技媒体の払出しまたは余り遊技媒体数を記録した記録媒体の発行を行う余り遊技媒体処理部とを備えることが好ましい。
【０００５】
また同一の課題を解決するためになされた請求項３の発明は、交換元の遊技媒体を受け入れ計数する複数の自動計数部と、その計数値から交換先の遊技媒体への交換数を演算する交換演算部と、演算値に基づき交換先の遊技媒体を払い出す払出部とを備えたことを特徴とするものである。なお請求項４に記載のように、余り遊技媒体を演算する交換演算部と、演算値に基づき、余り遊技媒体の払出し又は余り遊技媒体数を記録した記録媒体の発行を行う余り遊技媒体処理部とを備えることが好ましい。
【０００６】
これらの発明の遊技媒体交換装置によれば、パチンコ玉とメダルとの間で直接交換を行うことができるため、遊技者にとっては煩雑な手順を要することなくホール内の他の遊技に切り替えて遊技を継続することができる。またホール側にとっても遊技機会を増加させて売り上げ向上に繋がる利点がある。次に、本発明の好ましい実施の形態を図面に基づき説明する。
【０００７】
【発明の実施の形態】
（請求項１の発明）
図１において、１はパチンコ機の遊技媒体であるパチンコ玉を計数して計数結果を記録したレシート、磁気カード等の記録媒体を発行するとともに、特殊景品に満たない余り玉を返却可能としたパチンコ玉用の計数器、２はスロットマシンの遊技媒体であるメダルを計数して計数結果を記録したレシート、磁気カード等の記録媒体を発行するとともに、特殊景品交換数に満たない余りメダルを返却可能としたメダル用の計数器である。
【０００８】
３は本発明の遊技媒体交換装置であり、図１ではパチンコ玉用の計数器１とメダル用の計数器２との間に設置されている。この装置は、図２、図３に示すように自動読取部１０と、交換演算部１１と、払出部１２と、余り遊技媒体処理部１３とを備えている。自動読取部１０は、計数器１または計数器２により発行された記録媒体を受入口３１から受け入れてこの記録媒体に記録されている遊技媒体数を読み取る機能を有するものである。なお読み取られた遊技媒体数は、玉数表示部３２ａまたはメダル数表示部３２ｂなどの表示部に表示される。
【０００９】
交換演算部１１は、自動読取部１０により読み取られた交換元の遊技媒体数から交換先の遊技媒体への交換数及び余り遊技媒体数を演算する機能を有するもので、その演算結果を表示させることが好ましい。
【００１０】
払出部１２は、交換演算部１１の演算値に基づき交換先の遊技媒体を払い出す機能を有するものであり、玉払出部３３ａ及びメダル払出部３３ｂを備えたものである。図４に示すように、玉払出部３３ａはステッピングモータ１２ａにより駆動される玉計数装置１２ｂを備えている。またメダル払出部３３ｂはメダル計数ホッパー１２ｃを備えている。交換演算部１１の演算値はこれらの玉計数装置１２ｂ、メダル計数ホッパー１２ｃの何れかに入力され、演算値と同数のパチンコ玉またはメダルが払い出される。
【００１１】
余り遊技媒体処理部１３は、必要に応じて設けられるものであって、交換遊技媒体数に満たない余り遊技媒体の払出機能を有するものである。余り遊技媒体の払出しは前記の玉払出部３３ａ及びメダル払出部３３ｂにより行われる。しかし、余り遊技媒体処理部１３に余り遊技媒体数を記録した記録媒体の発行機能を持たせてもよい。なお、余り遊技媒体の払出し機能と記録媒体の発行機能の双方を持たせた場合には、いずれの機能を選択するかを選択するためのスイッチを設置することが好ましい。
【００１２】
図1に示すように、このような遊技媒体交換装置３をパチンコ機５１とスロットマシンを背中合わせに設置した島の端部に設置すれば、島の各パチンコ機５１及びスロットマシンにパチンコ玉やメダルを供給、返却するためのラインを利用して、交換用のパチンコ玉やメダルを受入れたり、払い出したりすることができる。
【００１３】
例えばパチンコ機の遊技者がスロットマシンで遊技したい場合には、パチンコ玉５個がメダル１枚の金額に相当するから、手持ちの景品玉をパチンコ玉用の計数器１に投入し、計数結果を記録した記録媒体を受け取る。そしてこの記録媒体を本発明の装置の記録媒体の受入口３１に挿入すれば、自動読取部１０がこの記録媒体の記録を読み取り、玉数表示部３２ａに玉数を表示するとともに、交換演算部１１においてメダルへの交換数を演算し、その枚数のメダル数をメダル表示部３２ｂに表示し、余り玉数を余り玉数表示部３４ａに表示する。そしてこれらを確認した遊技者がメダルへの交換スイッチ３５ａを押すと、メダル払出部３３ｂから交換対象のメダルの払い出しが行われ、また余り遊技媒体処理部１３から余り玉の払出し若しくは余り玉を記録した記録媒体の発行を受ける。
【００１４】
スロットマシンの遊技者がパチンコ遊技をする場合も同様であるが、メダル１枚の金額がパチンコ玉５個の金額に相当するから、この場合には余り玉数は生じない。なおこの場合にはパチンコ玉への交換スイッチ３５ｂを使用する。またこれらの交換スイッチ３５ａ、３５ｂを省略し、自動的に他の遊技媒体の払い出しを行うようにしてもよい。
【００１５】
（請求項３の発明）
上記した請求項１の発明では、既設のパチンコ玉用の計数器１またはメダル用の計数器２により発行された記録媒体を遊技媒体交換装置３の自動読取部１０に読み取らせるようにしたが、請求項２の発明は図５に示すように、遊技媒体交換装置３にパチンコ玉用の自動計数部１４と、メダル用の自動計数部１５とを一体に組み込んだものである。
【００１６】
この請求項３の発明では、パチンコ玉用の自動計数部１４と、メダル用の自動計数部１５とが内蔵されているために、遊技者は既設の計数器１、２により発行された記録媒体を読み取らせる必要がなく、交換先の遊技媒体の種類を選択するスイッチ３５を操作し、遊技媒体を投入するのみでよい。また投入された遊技媒体の種類を認識して他の遊技媒体に自動的に交換させるようにすることもでき、その場合には交換先の遊技媒体の種類を選択するスイッチ３５は不要となる。
【００１７】
この請求項３の発明では、遊技者は手持ちの遊技媒体であるパチンコ玉或いはメダルを、パチンコ玉用の自動計数部１４またはメダル用の自動計数部１５に投入するだけで、他の遊技媒体への自動交換が可能となる。
【００１８】
【発明の効果】
以上に説明したように、本発明の遊技媒体交換装置によれば、遊技者が手持ちの遊技媒体を他の遊技媒体に直接交換することができ、従来のような煩雑な手順を踏む必要がない。このためホール側にとっても、遊技機会を増加させることができる利点がある。
【図面の簡単な説明】
【図１】本発明の装置の設置状態を示す概略斜視図である。
【図２】請求項１の発明の構成を示すブロック図である。
【図３】本発明の装置の正面図である。
【図４】本発明の装置の概念的な内部構造図である。
【図５】請求項３の発明の構成を示すブロック図である。
【符号の説明】
１   パチンコ玉用の計数器
２   メダル用の計数器
３   遊技媒体交換装置
１０   自動読取部
１１   交換演算部
１２   払出部
１２ａ ステッピングモータ
１２ｂ 玉計数装置
１２ｃ メダル計数ホッパー
１３   余り遊技媒体処理部
１４  パチンコ玉用の自動計数部
１５  メダル用の自動計数部
３１   受入口
３２ａ 玉数表示部
３２ｂ メダル数表示部
３４ａ 余り玉数表示部
３５   交換先の遊技媒体の種類を選択するスイッチ
３５ａ メダルへの交換スイッチ
３５ｂ  パチンコ玉への交換スイッチ
５１   パチンコ機